【手続補正書】
【提出日】平成17年1月6日(2005.1.6)
【手続補正１】
【補正対象書類名】明細書
【補正対象項目名】特許請求の範囲
【補正方法】変更
【補正の内容】
【特許請求の範囲】
【請求項１】
重合性有機化合物、無機微粒子並びに溶媒として水及び有機溶剤を含有するハードコーティング用組成物を、インクジェット方式の微小ノズルから微小液滴として被塗布物に吐出して塗布し、塗布した前記ハードコーティング用組成物を硬化させるハードコート被膜の形成方法であって、前記ハードコーティング用組成物の全組成物に対する前記水の配合量が３０重量％以上であり、かつ、前記ハードコーティング用組成物がセロソルブ類の接触角低下溶剤を含有することを特徴とするハードコート被膜の形成方法。
【請求項２】
請求項１に記載のハードコート被膜の形成方法において、前記有機溶剤が、  前記水９に対して１の重量比にあることを特徴とするハードコート被膜の形成方法。
【請求項３】
請求項１〜２いずれかに記載のハードコート被膜の形成方法において、
前記被塗布物の前記ハードコーティング用組成物を塗布する表面が紫外線照射による表面改質処理がされていることを特徴とするハードコート被膜の形成方法。
【請求項４】
重合性有機化合物、無機微粒子並びに溶媒として水及び有機溶剤を含有し、かつ全組成物に対して固形分の配合量が１〜１９重量％、水の配合量が０．５〜３０重量％であって、微小ノズルから微小液滴を吐出して塗装するインクジェット方式に用いられることを特徴とするハードコーティング用組成物。
【請求項５】
請求項４記載のハードコーティング用組成物において、
セロソルブ類を全組成物に対して１０〜４５重量％の配合量で含有することを特徴とするハードコーティング用組成物。
【請求項６】
請求項４又は５記載のハードコーティング用組成物において、
前記水の配合量が、全組成物に対して１８〜２４重量％であることを特徴とするハードコーティング用組成物。
【請求項７】
重合性有機化合物、無機微粒子並びに溶媒として水及び有機溶剤を含有し、かつ全組成物に対して、固形分の配合量が１〜１９重量％、セロソルブ類の配合量が１０〜４０重量％であることを特徴とするハードコーティング用組成物。
【請求項８】
請求項４又は７記載のハードコーティング用組成物において、
前記重合性有機化合物が、一分子中に重合性基と加水分解性基とを含む有機けい素化合物であることを特徴とするハードコーティング用組成物。
【請求項９】
請求項４又は７記載のハードコーティング用組成物において、
前記無機微粒子が、粒径１〜１００ミリミクロンのＳｉ、Ａｌ、Ｓｎ、Ｓｂ、Ｔａ、Ｃｅ、Ｌａ、Ｆｅ、Ｚｎ、Ｗ、Ｚｒ、Ｉｎ、Ｔｉから選ばれる１種以上の金属酸化物からなる微粒子および／またはＳｉ、Ａｌ、Ｓｎ、Ｓｂ、Ｔａ、Ｃｅ、Ｌａ、Ｆｅ、Ｚｎ、Ｗ、Ｚｒ、Ｉｎ、Ｔｉからなる群から選ばれる２種以上の金属酸化物から構成される複合微粒子であることを特徴とするハードコーティング用組成物。
【請求項１０】
請求項７記載のハードコーティング用組成物において、
微小ノズルから微小液滴を吐出して塗装するインクジェット方式に用いられることを特徴とするハードコーティング用組成物。
【手続補正２】
【補正対象書類名】明細書
【補正対象項目名】００２１
【補正方法】変更
【補正の内容】
【００２１】
従って、請求項１記載の発明は、重合性有機化合物、無機微粒子並びに溶媒として水及び有機溶剤を含有するハードコーティング用組成物を、インクジェット方式の微小ノズルから微小液滴として被塗布物に吐出して塗布し、塗布した前記ハードコーティング用組成物を硬化させるハードコート被膜の形成方法において、前記ハードコーティング用組成物が、組成物全体の３０重量％以上の水を含有し、かつ、前記被塗布物の前記ハードコーティング用組成物を塗布する表面に対する接触角θの半値θ／２が１５°以下であることを特徴とするハードコート被膜の形成方法を提供する。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
請求項２記載の発明は、請求項１に記載のハードコート被膜の形成方法において、前記有機溶剤が、前記水９に対して１の重量比にあることを特徴とするハードコート被膜の形成方法を提供する。
【手続補正５】
【補正対象書類名】明細書
【補正対象項目名】００２４
【補正方法】変更
【補正の内容】
【００２４】
請求項３記載の発明は、請求項１〜２いずれかに記載のハードコート被膜の形成方法において、前記被塗布物の前記ハードコーティング用組成物を塗布する表面が紫外線照射による表面改質処理がされていることを特徴とするハードコート被膜の形成方法を提供する。
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
請求項４記載の発明は、重合性有機化合物、無機微粒子並びに溶媒として水及び有機溶剤を含有し、かつ全組成物に対して固形分の配合量が１〜１９重量％、水の配合量が０．５〜３０重量％であって、微小ノズルから微小液滴を吐出して塗装するインクジェット方式に用いられることを特徴とするハードコーティング用組成物を提供する。
【手続補正１１】
【補正対象書類名】明細書
【補正対象項目名】００３０
【補正方法】変更
【補正の内容】
【００３０】
請求項５記載の発明は、請求項４記載のハードコーティング用組成物において、セロソルブ類を全組成物に対して１０〜４５重量％の配合量で含有することを特徴とするハードコーティング用組成物を提供する。
【手続補正１２】
【補正対象書類名】明細書
【補正対象項目名】００３１
【補正方法】変更
【補正の内容】
【００３１】
請求項６記載の発明は、請求項４又は５記載のハードコーティング用組成物において、前記水の配合量が、全組成物に対して１８〜２４重量％であることを特徴とするハードコーティング用組成物を提供する。
【手続補正１３】
【補正対象書類名】明細書
【補正対象項目名】００３２
【補正方法】変更
【補正の内容】
【００３２】
請求項７記載の発明は、重合性有機化合物、無機微粒子並びに溶媒として水及び有機溶剤を含有し、かつ全組成物に対して、固形分の配合量が１〜１９重量％、セロソルブ類の配合量が１０〜４０重量％であることを特徴とするハードコーティング用組成物を提供する。
【手続補正１４】
【補正対象書類名】明細書
【補正対象項目名】００３３
【補正方法】変更
【補正の内容】
【００３３】
請求項８記載の発明は、請求項４又は７記載のハードコーティング用組成物において、前記重合性有機化合物が、一分子中に重合性基と加水分解性基とを含む有機けい素化合物であることを特徴とするハードコーティング用組成物を提供する。
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】変更
【補正の内容】
【００３５】
請求項９記載の発明は、請求項４又は７記載のハードコーティング用組成物において、前記無機微粒子が、粒径１〜１００ミリミクロンのＳｉ、Ａｌ、Ｓｎ、Ｓｂ、Ｔａ、Ｃｅ、Ｌａ、Ｆｅ、Ｚｎ、Ｗ、Ｚｒ、Ｉｎ、Ｔｉから選ばれる１種以上の金属酸化物からなる微粒子および／またはＳｉ、Ａｌ、Ｓｎ、Ｓｂ、Ｔａ、Ｃｅ、Ｌａ、Ｆｅ、Ｚｎ、Ｗ、Ｚｒ、Ｉｎ、Ｔｉからなる群から選ばれる２種以上の金属酸化物から構成される複合微粒子であることを特徴とするハードコーティング用組成物を提供する。
【手続補正１７】
【補正対象書類名】明細書
【補正対象項目名】００３６
【補正方法】変更
【補正の内容】
【００３６】
請求項１０記載の発明は、請求項７記載のハードコーティング用組成物において、微小ノズルから微小液滴を吐出して塗装するインクジェット方式に用いられることを特徴とするハードコーティング用組成物を提供する。